(57)【特許請求の範囲】
【請求項１】
印刷ワークフローシステムからジョブチケット形式で印刷ジョブを受け付ける受付手段と、
印刷ジョブを解析した結果、当該印刷ジョブに係る試し刷りを実行すべき旨が当該印刷ジョブに含まれている場合は、当該印刷ジョブに含まれている印刷データの一部を用いた試し刷りを実行するよう、印刷装置に指示する試し刷り指示手段と、
印刷ジョブに含まれているジョブオプションを変更するオプション変更手段と、
前記試し刷り指示手段によって実行が指示された試し刷りが終了した場合に、前記印刷ワークフローシステムに対して試し刷りに関連する情報を通知する通知手段と、
前記試し刷りの後に印刷のオプションの設定が変更された場合、本番印刷に係る費用の変更の有無を表示する表示手段
を備えた印刷制御装置。
【請求項２】
前記試し刷り指示手段は、試し刷りとして、前記印刷ジョブに係る出力部数を１とする
ことを特徴とする請求項１に記載の印刷制御装置。
【請求項３】
前記試し刷り指示手段は、試し刷りとして、前記印刷ジョブがバリアブルプリントである場合は、当該印刷ジョブに含まれている印刷データの１レコードを用いた印刷とする
ことを特徴とする請求項１又は２に記載の印刷制御装置。
【請求項４】
前記通知手段は、前記試し刷りに関連する情報に、前記オプション変更手段により変更された部分のジョブオプションを含める
ことを特徴とする請求項１から３のいずれか一項に記載の印刷制御装置。
【請求項５】
通知した試し刷りに関連する情報に対する印刷ワークフローシステムの応答であって、当該応答が試し刷りに対する承認を示す情報を前記印刷ワークフローシステムから受け取った場合に、本番印刷ジョブの実行を指示する本番印刷ジョブ指示手段
をさらに備えることを特徴とする請求項１から４のいずれか一項に記載の印刷制御装置。
【請求項６】
前記通知手段は、少なくとも印刷枚数を含む試し刷りに関連する情報と少なくとも印刷枚数を含む本番印刷に関連する情報を統合して、前記印刷ワークフローシステムに対して通知する
ことを特徴とする請求項５に記載の印刷制御装置。
【請求項７】
コンピュータを、
印刷ワークフローシステムからジョブチケット形式で印刷ジョブを受け付ける受付手段と、
印刷ジョブを解析した結果、当該印刷ジョブに係る試し刷りを実行すべき旨が当該印刷ジョブに含まれている場合は、当該印刷ジョブに含まれている印刷データの一部を用いた試し刷りを実行するよう、印刷装置に指示する試し刷り指示手段と、
印刷ジョブに含まれているジョブオプションを変更するオプション変更手段と、
前記試し刷り指示手段によって実行が指示された試し刷りが終了した場合に、前記印刷ワークフローシステムに対して試し刷りに関連する情報を通知する通知手段と、
前記試し刷りの後に印刷のオプションの設定が変更された場合、本番印刷に係る費用の変更の有無を表示する表示手段
として機能させるための印刷制御プログラム。
【発明の詳細な説明】
【技術分野】
【０００１】
本発明は、印刷制御装置及び印刷制御プログラムに関する。
【背景技術】
【０００２】
特許文献１には、ホストコンピュータまたはネットワークに接続されたプリンター装置でジョブデータを印刷する場合において、複数ページを複数部数出力する際にユーザーが印刷結果を確認することにより、無駄な出力を回避し、かつ簡単な操作で効率的な出力を実現することを課題とし、プリントジョブの印刷実行を指示するパネル操作部と、解釈・展開した受信プリントジョブの全てのページを保持するＲＡＭと、ジョブの要求が複数部数の場合に１部のみを出力し、残り部数はパネル操作部からのユーザー指示があるまで休止させ、ユーザー指示で残り部数を出力するか、あるいはＲＡＭに展開されているイメージを消去するＣＰＵとを備えたことが開示されている。
【０００３】
特許文献２には、複数部数の印刷を的確かつ容易に行えるようにした印刷制御プログラム及び印刷制御装置及び印刷制御方法を提供することを課題とし、クライアント端末から複数部数を指定した印刷依頼を行うと、プリントサーバは、ＱＲコード（登録商標）がスタンプされた１部目の印刷物を出力するための印刷データを生成し、当該データをプリンターに送信し、プリンターは、ＱＲコード（登録商標）がスタンプされた印刷物の出力を行い、ユーザーは、出力内容を確認し問題がなければ、携帯電話を用いてＱＲコード（登録商標）を読み取り、携帯電話は、このＱＲコード（登録商標）に埋め込まれた情報に基づいて公衆回線網等を経てプリントサーバに２部目以降の出力の再開を指示し、プリントサーバは、この再開指示とともに、２部目以降の印刷データを生成し、当該データをプリンターへと送信し、プリンターでは、１部目同様に、２部目、３部目の印刷処理を開始することが開示されている。
【０００４】
特許文献３には、複数部数の印刷を行う際、試し印刷実行時の操作性を向上し、試し印刷の結果に不具合があった場合にも、ユーザーが印刷処理に関わる時間を短縮すると共に、無駄な印刷資源の消費を防止することを課題とし、ホストからデータを受信して印刷を行うプリンターにおいて、試し印刷が指定されると、１部目を通常通り印刷すると共に、そのデータを蓄積し、試し印刷結果を確認した後、蓄積されたデータにより本印刷を行い、終了後蓄積されたデータを消去し、上記１部目の試し印刷に不具合があった場合は、蓄積されたデータを変更して本印刷に適したものにし、その後、ユーザーの指示に基づいて、上記変更されたデータを用いて再度試し印刷を行えるようにし、この試し印刷と本印刷とを何度でも繰り返し行えるようにしていることが開示されている。
【先行技術文献】
【特許文献】
【０００５】
【特許文献１】特開平１０−１４３３３３号公報
【特許文献２】特開２００６−３３８１２８号公報
【特許文献３】特開２００２−１２７５７０号公報
【発明の概要】
【発明が解決しようとする課題】
【０００６】
印刷用のワークフローにおいては、試し刷り（以下、サンプルプリントともいう）を行って印刷物の出来栄えを（目視で）確認・承認してから本番の印刷を行うことが多い。このような印刷用のワークフローは、例えばジョブチケット形式で表現されており、ジョブチケット形式で印刷ジョブをプロダクションプリンターに引き渡す規格の１つにＪＤＦ（Ｊｏｂ  Ｄｅｆｉｎｉｔｉｏｎ  Ｆｏｒｍａｔ）がある。
ＪＤＦを使用すれば印刷用のワークフローからプリンターにジョブを投入することが可能となるが、プリンターからはワークフローに対して印刷ジョブの処理結果を通知するに過ぎず、その処理結果が試し刷りの結果なのか本番印刷の結果なのか、ワークフロー側からは判断がつかない。また、単にプリンターから処理結果をワークフローに通知するだけでは、試し刷りに対する「確認・承認」工程がワークフローに反映されない。
本発明は、試し刷りを伴う印刷ジョブであっても１つのワークフローとして取り扱われ、試し刷りに対する確認・承認もワークフローに反映可能とした印刷制御装置及び印刷制御プログラムを提供することを目的としている。
【課題を解決するための手段】
【０００７】
かかる目的を達成するための本発明の要旨とするところは、次の各項の発明に存する。
請求項１の発明は、印刷ワークフローシステムからジョブチケット形式で印刷ジョブを受け付ける受付手段と、印刷ジョブを解析した結果、当該印刷ジョブに係る試し刷りを実行すべき旨が当該印刷ジョブに含まれている場合は、当該印刷ジョブに含まれている印刷データの一部を用いた試し刷りを実行するよう、印刷装置に指示する試し刷り指示手段と、印刷ジョブに含まれているジョブオプションを変更するオプション変更手段と、前記試し刷り指示手段によって実行が指示された試し刷りが終了した場合に、前記印刷ワークフローシステムに対して試し刷りに関連する情報を通知する通知手段と、前記試し刷りの後に印刷のオプションの設定が変更された場合、本番印刷に係る費用の変更の有無を表示する表示手段を備えた印刷制御装置である。
【０００８】
請求項２の発明は、前記試し刷り指示手段は、試し刷りとして、前記印刷ジョブに係る出力部数を１とすることを特徴とする請求項１に記載の印刷制御装置である。
【０００９】
請求項３の発明は、前記試し刷り指示手段は、試し刷りとして、前記印刷ジョブがバリアブルプリントである場合は、当該印刷ジョブに含まれている印刷データの１レコードを用いた印刷とすることを特徴とする請求項１又は２に記載の印刷制御装置である。
【００１０】
請求項４の発明は、前記通知手段は、前記試し刷りに関連する情報に、前記オプション変更手段により変更された部分のジョブオプションを含めることを特徴とする請求項１から３のいずれか一項に記載の印刷制御装置である。
【００１１】
請求項５の発明は、通知した試し刷りに関連する情報に対する印刷ワークフローシステムの応答であって、当該応答が試し刷りに対する承認を示す情報を前記印刷ワークフローシステムから受け取った場合に、本番印刷ジョブの実行を指示する本番印刷ジョブ指示手段をさらに備えることを特徴とする請求項１から４のいずれか一項に記載の印刷制御装置である。
【００１２】
請求項６の発明は、前記通知手段は、少なくとも印刷枚数を含む試し刷りに関連する情報と少なくとも印刷枚数を含む本番印刷に関連する情報を統合して、前記印刷ワークフローシステムに対して通知することを特徴とする請求項５に記載の印刷制御装置である。
【００１３】
請求項７の発明は、コンピュータを、印刷ワークフローシステムからジョブチケット形式で印刷ジョブを受け付ける受付手段と、印刷ジョブを解析した結果、当該印刷ジョブに係る試し刷りを実行すべき旨が当該印刷ジョブに含まれている場合は、当該印刷ジョブに含まれている印刷データの一部を用いた試し刷りを実行するよう、印刷装置に指示する試し刷り指示手段と、印刷ジョブに含まれているジョブオプションを変更するオプション変更手段と、前記試し刷り指示手段によって実行が指示された試し刷りが終了した場合に、前記印刷ワークフローシステムに対して試し刷りに関連する情報を通知する通知手段と、前記試し刷りの後に印刷のオプションの設定が変更された場合、本番印刷に係る費用の変更の有無を表示する表示手段として機能させるための印刷制御プログラムである。
【発明の効果】
【００１４】
請求項１の印刷制御装置によれば、試し刷りを伴う印刷ジョブであっても１つのワークフローとして取り扱われ、試し刷りに対する確認・承認もワークフローに反映される。
【００１５】
請求項２の印刷制御装置によれば、出力部数を１とした試し刷りが行われる。
【００１６】
請求項３の印刷制御装置によれば、印刷ジョブがバリアブルプリントである場合は、印刷データの１レコードを用いて試し刷りが行われる。
【００１７】
請求項４の印刷制御装置によれば、試し刷りを行うことによって変更された部分のジョブオプションが通知される。
【００１８】
請求項５の印刷制御装置によれば、試し刷りに対する承認を示す情報を受け取った場合に、本番印刷ジョブの実行が指示される。
【００１９】
請求項６の印刷制御装置によれば、試し刷りと本番印刷の印刷枚数が統合されて、印刷ワークフローシステムに対して通知される。
【００２０】
請求項７の印刷制御プログラムによれば、試し刷りを伴う印刷ジョブであっても１つのワークフローとして取り扱われ、試し刷りに対する確認・承認もワークフローに反映される。
【図面の簡単な説明】
【００２１】
【図１】第１の実施の形態の構成例についての概念的なモジュール構成図である。
【図２】印刷制御装置、ワークフロー処理装置、印刷装置によるシステム構成例を示す説明図である。
【図３】本実施の形態を利用したシステム構成例を示す説明図である。
【図４】第１の実施の形態による処理例を示すフローチャートである。
【図５】第１の実施の形態による処理例を示すフローチャートである。
【図６】サンプルプリント確認画面の表示例を示す説明図である。
【図７】サンプルプリント確認画面の表示例を示す説明図である。
【図８】サンプルプリント確認画面の表示例を示す説明図である。
【図９】オプションテーブルのデータ構造例を示す説明図である。
【図１０】第１の実施の形態による処理例を示すフローチャートである。
【図１１】オプション変更確認画面の表示例を示す説明図である。
【図１２】第２の実施の形態の構成例についての概念的なモジュール構成図である。
【図１３】第２の実施の形態による処理例を示すフローチャートである。
【図１４】印刷情報テーブルのデータ構造例を示す説明図である。
【図１５】本実施の形態を実現するコンピュータのハードウェア構成例を示すブロック図である。
【発明を実施するための形態】
【００２２】
まず、本実施の形態を説明する前に、その前提又は背景について説明する。なお、この説明は、本実施の形態の理解を容易にすることを目的とするものである。
大量の部数をプリントする前に部数の設定を無視して１部のみプリントし、結果を確認するための機能が存在する。この機能を試し刷りという（以下、サンプルプリントともいう）。ここでの「部数の設定を無視」とは、本番プリント（以下、本番プリント、本プリントともいう）における部数（大量の部数）を最初から印刷するのではなく、その部数とは関係ないサンプルプリントを行うとの意である。
サンプルプリントで出力した出力物を、一般的には、操作者の目視による確認後、問題があれば色の調整や記録紙上における印刷イメージの位置調整などの各種設定の修正（ジョブオプションの変更）を行い、その修正後の設定でサンプルプリントを行うことを繰り返し実施し、出力物に問題ないことが確認できたら本番プリントとして全ての部数（最初に設定された部数）を出力する。なお、出力物に問題ないことを確認したサンプルプリントについては本番プリントと同様の出来栄えであることから、本番プリントの一部目とみなして本番プリントの印刷部数を「（最初に設定された部数）−１」に変更するようにしてもよい。特に、このようにする場合、後述するバリアブルプリントにおいては、最初のレコード又は最後のレコードをサンプルプリントの対象としてもよい。本番プリントの最初又は最後にサンプルプリントを付加することによって（つまり、途中のページを探す手間を省いて）、全体の印刷物が整うからである。なお、複数ページのサンプルプリントを行う場合は、本番プリントの印刷部数を「（最初に設定された部数）−Ｎ（サンプルプリントのページ数）」に変更すればよい。そして、最初のレコード又は最後のレコードから連続した複数ページ分のレコードをサンプルプリントの対象とすればよい。
【００２３】
運用方法（１）：ＪＤＦワークフローシステムと連携した運用では、サンプルプリントが完了した後に、ＪＤＦワークフローシステムからサンプルプリント用のジョブとは別に本番用ジョブを送信し直すという運用方法がある。
この運用方法では、部数を１部に設定したサンプルプリント用ジョブが完了したことをＪＤＦワークフローシステム側に通知した後、ＪＤＦワークフローシステムから所望の部数を設定した本番プリント用のジョブを送信し直していた。
この場合サンプルプリント時のジョブと本番プリント時のジョブが異なるため、サンプルプリント用ジョブと本番プリント用ジョブで設定するオプションが同じであるという保証はない。
また、プリントに使用した用紙等のコスト情報がサンプルプリントと本番プリントで別になってしまうため、ジョブ全体で発生したコストを求めるには、管理者は、本番プリントジョブに対応するサンプルプリントジョブがどれであるかを特定し、各ジョブのコスト情報を加算しなければならない。
【００２４】
運用方法（２）：ＪＤＦワークフローシステムと連携した運用で、サンプルプリントの出力と確認、問題の修正はプリンターのオペレータが実施し、ＪＤＦワークフローシステム側には本番プリントの完了のみを通知する運用方法がある。
サンプルプリント時はプリンターで部数を１に設定し、サンプルプリントが完了したらジョブの部数を元にもどして本番プリントを実施する。
この運用方法では、サンプルプリントと本番プリントで同じジョブを使用することとなる。
しかし、ＪＤＦワークフローシステム側では本番プリント完了まで進捗を把握することができない。
出力物が期待通りかどうかの判断は人間が行う必要があり、サンプルプリント完了を自動で判断して通知することはできないためである。
また、どのような設定変更によりサンプルプリント出力に問題ないとプリンター側で判断されたかが分からないため、本番プリントではどのような設定で出力するか把握できない。
【００２５】
以下、図面に基づき本発明を実現するにあたっての好適な各種の実施の形態の例を説明する。
＜＜第１の実施の形態＞＞
図１は、第１の実施の形態の構成例についての概念的なモジュール構成図を示している。
なお、モジュールとは、一般的に論理的に分離可能なソフトウェア（コンピュータ・プログラム）、ハードウェア等の部品を指す。したがって、本実施の形態におけるモジュールはコンピュータ・プログラムにおけるモジュールのことだけでなく、ハードウェア構成におけるモジュールも指す。それゆえ、本実施の形態は、それらのモジュールとして機能させるためのコンピュータ・プログラム（コンピュータにそれぞれの手順を実行させるためのプログラム、コンピュータをそれぞれの手段として機能させるためのプログラム、コンピュータにそれぞれの機能を実現させるためのプログラム）、システム及び方法の説明をも兼ねている。ただし、説明の都合上、「記憶する」、「記憶させる」、これらと同等の文言を用いるが、これらの文言は、実施の形態がコンピュータ・プログラムの場合は、記憶装置に記憶させる、又は記憶装置に記憶させるように制御するという意味である。また、モジュールは機能に一対一に対応していてもよいが、実装においては、１モジュールを１プログラムで構成してもよいし、複数モジュールを１プログラムで構成してもよく、逆に１モジュールを複数プログラムで構成してもよい。また、複数モジュールは１コンピュータによって実行されてもよいし、分散又は並列環境におけるコンピュータによって１モジュールが複数コンピュータで実行されてもよい。なお、１つのモジュールに他のモジュールが含まれていてもよい。また、以下、「接続」とは物理的な接続の他、論理的な接続（データの授受、指示、データ間の参照関係等）の場合にも用いる。「予め定められた」とは、対象としている処理の前に定まっていることをいい、本実施の形態による処理が始まる前はもちろんのこと、本実施の形態による処理が始まった後であっても、対象としている処理の前であれば、そのときの状況・状態にしたがって、又はそれまでの状況・状態にしたがって定まることの意を含めて用いる。「予め定められた値」が複数ある場合は、それぞれ異なった値であってもよいし、２以上の値（もちろんのことながら、全ての値も含む）が同じであってもよい。また、「Ａである場合、Ｂをする」という意味を有する記載は、「Ａであるか否かを判断し、Ａであると判断した場合はＢをする」の意味で用いる。ただし、Ａであるか否かの判断が不要である場合を除く。
また、システム又は装置とは、複数のコンピュータ、ハードウェア、装置等がネットワーク（一対一対応の通信接続を含む）等の通信手段で接続されて構成されるほか、１つのコンピュータ、ハードウェア、装置等によって実現される場合も含まれる。「装置」と「システム」とは、互いに同義の用語として用いる。もちろんのことながら、「システム」には、人為的な取り決めである社会的な「仕組み」（社会システム）にすぎないものは含まない。
また、各モジュールによる処理毎に又はモジュール内で複数の処理を行う場合はその処理毎に、対象となる情報を記憶装置から読み込み、その処理を行った後に、処理結果を記憶装置に書き出すものである。したがって、処理前の記憶装置からの読み込み、処理後の記憶装置への書き出しについては、説明を省略する場合がある。なお、ここでの記憶装置としては、ハードディスク、ＲＡＭ（Ｒａｎｄｏｍ  Ａｃｃｅｓｓ  Ｍｅｍｏｒｙ）、外部記憶媒体、通信回線を介した記憶装置、ＣＰＵ（Ｃｅｎｔｒａｌ  Ｐｒｏｃｅｓｓｉｎｇ  Ｕｎｉｔ）内のレジスタ等を含んでいてもよい。
【００２６】
本実施の形態である印刷制御装置１００は、試し刷りの指示を行うものであって、図１の例に示すように、受付モジュール１１０、サンプル印刷指示モジュール１２０、オプション変更モジュール１３０、通知モジュール１４０、本番印刷指示モジュール１５０を有している。なお、印刷制御装置１００は、ワークフロー処理装置２００、印刷装置２９０と接続されており、図２の例を用いて後述する。印刷制御装置１００は、ワークフロー処理装置２００から受け取った１つの印刷ジョブを試し刷り用の印刷ジョブとして試し刷りを行い、その後、その受け取った印刷ジョブを本番印刷ジョブとして本番印刷を行う。ただし、試し刷りによってジョブオプションが変更されていることがある。
【００２７】
受付モジュール１１０は、印刷ワークフローシステムの一例であるワークフロー処理装置２００からジョブチケット形式で印刷ジョブを受け付ける。
サンプル印刷指示モジュール１２０は、印刷ジョブを解析した結果、その印刷ジョブに係る試し刷りを実行すべき旨がその印刷ジョブに含まれている場合は、その印刷ジョブに含まれている印刷データの一部を用いた試し刷りを実行するよう、印刷装置２９０に指示する。
また、サンプル印刷指示モジュール１２０は、試し刷りとして、印刷ジョブに係る出力部数を１とするようにしてもよい。試し刷りであるので、出力部数は１であることが一般的であるからであり、オペレータは印刷部数を設定する必要がなくなる。
また、サンプル印刷指示モジュール１２０は、試し刷りとして、印刷ジョブがバリアブルプリントである場合は、その印刷ジョブに含まれている印刷データの１レコードを用いた印刷とするようにしてもよい。バリアブルプリントとは、例えば、ダイレクトメール（ＤＭ）等の印刷物のように、住所等の位置は同じだが、その住所等の内容が一つ一つ異なるため印刷内容を変えて印刷するものである。ここでの１件の印刷内容は、１レコード内に記録されている。バリアブルプリントの場合、複数の印刷物となるので、試し刷りとしては、そのうちの１つの案件を印刷すればよいからである。試し刷り対象となる１レコードの選択は、予め定められたレコード（例えば、最初のレコード）であってもよいし、ランダムに選択したレコードであってもよいし、操作者の操作によってレコードを選択させてもよい。
【００２８】
オプション変更モジュール１３０は、印刷ジョブに含まれているジョブオプションを変更する。例えば、試し刷りが行われた結果、目視をしたオペレータによってジョブオプションを変更する操作が行われた場合、その操作にしたがって、ジョブオプションを変更する。ここで「ジョブオプション」とは、出力態様の指定に関する出力オプションである。ジョブオプションとして、例えば、拡大縮小倍率（拡大縮小を行う、行わない等を含む）、回転、傾き補正、印刷用イメージを作成するＲＩＰ（Ｒａｓｔｅｒ  Ｉｍａｇｅ  Ｐｒｏｃｅｓｓｏｒ）の種類、色調整用のパラメータ等がある。ジョブオプションについては、図９の例を用いて後述する。
「試し刷りを実行すべき旨」は、例えば、受付モジュール１１０が受け付けた印刷ジョブ内の印刷属性に含まれていてもよい。この場合、サンプル印刷指示モジュール１２０は、印刷ジョブの印刷属性を解析した結果、その印刷ジョブに係る試し刷りを実行すべき旨がその印刷属性に含まれている場合は、その印刷ジョブに含まれている印刷データの一部を用いた試し刷りを実行するよう、印刷装置２９０に指示する。そして、オプション変更モジュール１３０は、印刷ジョブの印刷属性に含まれているジョブオプションを変更する。
通知モジュール１４０は、サンプル印刷指示モジュール１２０によって実行が指示された試し刷りが終了した場合に、ワークフロー処理装置２００に対して試し刷りに関連する情報を通知する。
また、通知モジュール１４０は、試し刷りに関連する情報に、オプション変更モジュール１３０により変更された部分のジョブオプションを含めるようにしてもよい。
【００２９】
本番印刷指示モジュール１５０は、通知した試し刷りに関連する情報に対するワークフロー処理装置２００の応答であって、その応答が試し刷りに対する承認を示す情報をワークフロー処理装置２００から受け取った場合に、本番印刷ジョブの実行を印刷装置２９０に対して指示する。なお、ここで指示する対象である印刷装置２９０は、試し刷りを指示した印刷装置２９０と同じでなくてもよい。つまり、試し刷りを行う印刷装置２９０と本番印刷を行う印刷装置２９０は異なっていてもよい。
【００３０】
図２は、印刷制御装置１００、ワークフロー処理装置２００、印刷装置２９０によるシステム構成例を示す説明図である。このシステムは、ＪＤＦに準拠して構成されている。ＪＤＦは、ＣＩＰ４（「Ｔｈｅ  Ｉｎｔｅｒｎａｔｉｏｎａｌ  Ｃｏｏｐｅｒａｔｉｏｎ  ｆｏｒ  ｔｈｅ  Ｉｎｔｅｇｒａｔｉｏｎ  ｏｆ  Ｐｒｏｃｅｓｓｅｓ  ｉｎ  Ｐｒｅｐｒｅｓｓ，  Ｐｒｅｓｓ  ａｎｄ  Ｐｏｓｔｐｒｅｓｓ  ｏｒｇａｎｉｚａｔｉｏｎ」（プリプレス・プレス・ポストプレスにおける工程の統合のための国際団体））の主要工程自動化仕様の総称である。ＪＤＦの基本機能は、印刷ジョブ工程全体の記述に使用するメタデータの提供、フレキシブルワークフローの自動化の方法提供、ワークフローやＭＩＳ（Ｍａｎａｇｅｍｅｎｔ  Ｉｎｆｏｒｍａｔｉｏｎ  Ｓｙｓｔｅｍ）が新しいデバイスのＪＤＦ機能を決定するためのクエリ実行、ワークフローやＭＩＳシステム作業現場でデバイスに指図するための指令言語の提供である。
なお、図２では、印刷装置２９０が１台である例を示しているが、２台以上であってもよい。そして、サンプルプリント用の印刷装置２９０、本番プリント用の印刷装置２９０として使い分けるようにしてもよい。
【００３１】
ワークフロー処理装置２００は、ユーザーインタフェースモジュール２１０、ＪＭＦ送受信モジュール２２０を有している。なお、ワークフロー処理装置２００を印刷ワークフローソフトウェアとして構成してもよい。また、印刷制御装置１００内にワークフロー処理装置２００を含んだ構成としてもよい。
ワークフロー処理装置２００は、印刷ジョブ２２２内に、サンプルプリントの指示を含ませることができる。また、ワークフロー処理装置２００は、印刷制御装置１００からサンプル完了２２４の情報を受け取ることができる。そして、ワークフロー処理装置２００は、印刷制御装置１００に対して、本プリント指示２２６を送信することができる。
ユーザーインタフェースモジュール２１０は、オペレータ等による操作を受け付け、処理結果等を出力する。例えば、印刷ジョブ２２２の指示を受け付け、サンプル完了２２４の結果を提示し、本プリント指示２２６の指示を受け付ける。マウス、キーボード、タッチパネル、音声、視線、ジェスチャ等を用いたユーザーの操作を受け付け、液晶ディスプレイ等の表示装置への表示の他に、スピーカー等の音声出力装置への音声の出力、振動等を組み合わせてもよい。
ＪＭＦ送受信モジュール２２０は、ワークフロー処理装置２００と印刷制御装置１００間でメッセージ（印刷ジョブ２２２、サンプル完了２２４、本プリント指示２２６）のやりとりを行う。なお、ＪＭＦ（Ｊｏｂ  Ｍｅｓｓａｇｉｎｇ  Ｆｏｒｍａｔ）は、マルチレベル機能を備えた通信フォーマットであり、ＪＤＦの一部である指令言語である。ＪＤＦと同様、ＪＤＦの中で最上位要素であるＪＭＦ要素も存在する。ＪＭＦはＪＤＦ仕様書内で定義されているものである。
印刷ジョブ２２２が、「ジョブチケット形式の印刷ジョブ」の一例である。サンプル完了２２４が、「試し刷りに関連する情報」の一例である。本プリント指示２２６が、「試し刷りに対する承認を示す情報を含む応答」の一例である。
【００３２】
印刷制御装置１００は、ＪＭＦ送受信モジュール２３０、ユーザーインタフェースモジュール２４０、ジョブ管理モジュール２５０、ＲＩＰモジュール２６０、印刷装置制御モジュール２７０を有している。
ＪＭＦ送受信モジュール２３０に、図１の例に示した受付モジュール１１０、通知モジュール１４０が含まれている。ＪＭＦ送受信モジュール２３０は、ワークフロー処理装置２００と印刷制御装置１００間でメッセージ（印刷ジョブ２２２、サンプル完了２２４、本プリント指示２２６）のやりとりを行う。
ユーザーインタフェースモジュール２４０は、ユーザーインタフェースモジュール２１０と同様に、オペレータ等による操作を受け付け、処理結果等を出力する。ただし、ワークフロー処理装置２００におけるオペレータ等は、印刷における管理者としての役割を有している者であるのが一般的であり、印刷制御装置１００におけるオペレータ等は、サンプルプリント、本番プリントの作業者であるのが一般的である。
ジョブ管理モジュール２５０に、図１の例に示したサンプル印刷指示モジュール１２０、オプション変更モジュール１３０、本番印刷指示モジュール１５０が含まれている。ジョブ管理モジュール２５０は、印刷ジョブ２２２又は本プリント指示２２６にしたがって、印刷装置２９０に対してサンプルプリント又は本番プリントの実行をさせるために、ＲＩＰモジュール２６０、印刷装置制御モジュール２７０を制御する。
ＲＩＰモジュール２６０は、ジョブ管理モジュール２５０の制御にしたがって、サンプルプリント用又は本番プリント用のイメージを生成する。もちろんのことながら、ここで生成するイメージは、印刷装置２９０で印刷可能なイメージであり、例えば、ビットマップイメージ（ラスターイメージ）である。
印刷装置制御モジュール２７０は、印刷装置２９０と接続されている。印刷装置制御モジュール２７０は、ジョブ管理モジュール２５０の制御にしたがって、ＲＩＰモジュール２６０によって生成された印刷用イメージを印刷装置２９０に渡し、印刷させる。
印刷装置２９０は、印刷制御装置１００の指示にしたがって、印刷（サンプルプリント又は本番プリント）を行う。例えば、カット紙用プリンター、連帳プリンター、プロダクションプリンター、複合機（スキャナ、プリンター、複写機、ファックス等のいずれか２つ以上の機能を有している画像処理装置）等が該当する。
【００３３】
図３は、本実施の形態を利用したシステム構成例を示す説明図である。
印刷制御装置１００、ワークフロー処理装置（印刷装置管理者用）２００Ａ、ワークフロー処理装置（進捗管理者用）２００Ｂ、ワークフロー処理装置（印刷装置管理者用かつ進捗管理者用）２００Ｃは、通信回線３９０を介してそれぞれ接続されている。通信回線３９０は、無線、有線、これらの組み合わせであってもよく、例えば、通信インフラとしてのインターネット、イントラネット等であってもよい。また、ワークフロー処理装置２００は、印刷装置管理者用、進捗管理者用、印刷装置管理者用かつ進捗管理者用と分かれていてもよい。
【００３４】
図４は、第１の実施の形態による処理例を示すフローチャートである。
ステップＳ４０２では、ワークフロー処理装置２００は、操作者の操作にしたがって本プリントにおける部数を設定する。
ステップＳ４０４では、ワークフロー処理装置２００は、印刷制御装置１００に対してジョブを送信する。なお、このジョブには、サンプルプリントの指示を含ませる。
ステップＳ４０６では、印刷制御装置１００は、ワークフロー処理装置２００からジョブを受信する。
ステップＳ４０８では、印刷制御装置１００は、ジョブ内にサンプルプリントの指示があるので、サンプルプリントを実行する。部数設定は無視して１部のみプリントする。
ステップＳ４１０では、印刷制御装置１００のオペレータはプリント結果を目視で確認する。
ステップＳ４１２では、印刷制御装置１００は、サンプルプリント結果がＯＫとなるまで設定を変えて、ステップＳ４０８からの処理を繰り返し、プリントする。設定として、例えば、拡大縮小率の変更等がある。
【００３５】
ステップＳ４１４では、印刷制御装置１００は、サンプルプリント結果に問題がなければ、サンプルプリント完了ボタンを押下する。例えば、サンプルプリント確認画面６００を提示する。図６は、サンプルプリント確認画面６００の表示例を示す説明図である。サンプルプリント確認画面６００には、承認ボタン６４０、キャンセルボタン６５０を表示する。そして、サンプルプリント確認画面６００内に、例えば、「サンプルプリント完了を承認する場合は承認ボタンを押してください。承認ボタンを押すと通知先にサンプルプリント完了を通知します。」を表示する。承認ボタン６４０が押下されることによって、サンプルプリントが完了し、本プリントに移行する。
【００３６】
ステップＳ４１６では、印刷制御装置１００は、ワークフロー処理装置２００に対して、サンプルプリント完了と変更したオプションを通知する。例えば、オプションとしてオプションテーブル９００を送信する。図９は、オプションテーブル９００のデータ構造例を示す説明図である。オプションテーブル９００は、設定項目欄９１０、内容欄９２０を有している。設定項目欄９１０は、設定項目を記憶している。内容欄９２０は、内容を記憶している。設定項目として、「拡大縮小（拡大縮小率を含ませてもよい）」、「ＲＩＰの種類」、「部数」、「給紙方法」、「用紙種類」、「出力先の設定」（例えば、（１）プリント、（２）ＲＩＰ処理だけを行い、プリントはしない、（３）受信を行い、保管だけする等がある）、「連続プリントを優先する」、「ファイル内の指定を優先」（例えば、ジョブ内のオプション指定とポストスクリプトファイル内のオプション指定とのいずれを適用するか）等がある。なお、部数の項目は、ステップＳ４０６で受信した部数のままとする。サンプルプリントの結果によって変更するものではないからである。つまり、サンプルプリントが完了したとしても、この部数は変更しない。
また、オプションテーブル９００全体ではなく、変更されたオプションだけを通知するようにしてもよい。
【００３７】
ステップＳ４１８では、ワークフロー処理装置２００は、サンプルプリントの完了を登録する。
ステップＳ４２０では、印刷制御装置１００は、本プリントを開始する。
ステップＳ４２２では、印刷制御装置１００は、本プリントを完了する。
ステップＳ４２４では、印刷制御装置１００は、ワークフロー処理装置２００に対して、本プリント完了を通知する。
ステップＳ４２６では、ワークフロー処理装置２００は、本プリントの完了を登録する。
【００３８】
図５は、第１の実施の形態による別の処理例を示すフローチャートである。
ステップＳ５０２では、ワークフロー処理装置２００は、操作者の操作にしたがって本プリントにおける部数を設定する。
ステップＳ５０４では、ワークフロー処理装置２００は、印刷制御装置１００に対してジョブを送信する。なお、このジョブには、サンプルプリントの指示を含ませる。
ステップＳ５０６では、印刷制御装置１００は、ワークフロー処理装置２００からジョブを受信する。
ステップＳ５０８では、印刷制御装置１００は、ジョブ内にサンプルプリントの指示があるので、サンプルプリントを実行する。部数設定は無視して１部のみプリントする。
ステップＳ５１０では、印刷制御装置１００のオペレータはプリント結果を目視で確認する。
ステップＳ５１２では、印刷制御装置１００は、サンプルプリント結果がＯＫとなるまで設定を変えて、ステップＳ５０８からの処理を繰り返し、プリントする。設定として、例えば、拡大縮小率の変更等がある。
【００３９】
ステップＳ５１４では、印刷制御装置１００は、サンプルプリント結果に問題がなければ、承認者の名を入力し、サンプルプリント完了ボタンを押下する。例えば、図７に示すサンプルプリント確認画面６００又は図８に示すサンプルプリント確認画面６００を提示する。図７は、サンプルプリント確認画面６００の表示例を示す説明図である。サンプルプリント確認画面６００には、承認者所属欄７２０、承認者氏名欄７３０、承認ボタン６４０、キャンセルボタン６５０を表示する。つまり、図６の例に示したサンプルプリント確認画面６００に承認者所属欄７２０、承認者氏名欄７３０を付加したものである。承認者所属欄７２０には、サンプルプリントのプリント結果を確認した者の所属組織を記載し、承認者氏名欄７３０には、サンプルプリントのプリント結果を確認した者の氏名を記載する。これらの記載内容は、サンプル完了２２４の情報として、ワークフロー処理装置２００に送信され、ワークフロー処理装置２００側では、これらの情報を管理（登録）する。図８は、サンプルプリント確認画面６００の表示例を示す説明図である。サンプルプリント確認画面６００には、通知先欄８１０、承認者所属欄７２０、承認者氏名欄７３０、承認ボタン６４０、キャンセルボタン６５０を表示する。つまり、図７の例に示したサンプルプリント確認画面６００に通知先欄８１０を付加したものである。通知先欄８１０には、サンプル完了２２４を送信する先である印刷制御装置１００のアドレス（例えば、名称等でもよい）を記載する。通知先欄８１０内の記載内容にしたがって、サンプル完了２２４を送信する。例えば、印刷ジョブ２２２を送信してきたワークフロー処理装置（印刷装置管理者用）２００Ａ以外のワークフロー処理装置（進捗管理者用）２００Ｂにサンプル完了２２４を送信する場合に用いられる。
【００４０】
ステップＳ５１６では、印刷制御装置１００は、ワークフロー処理装置２００に対して、サンプルプリント完了と変更したオプションを通知する。例えば、オプションとしてオプションテーブル９００を送信する。
ステップＳ５１８では、ワークフロー処理装置２００は、サンプルプリントの完了を登録する。
ステップＳ５２０では、印刷制御装置１００は、本プリントを開始する。
ステップＳ５２２では、印刷制御装置１００は、本プリントを完了する。
ステップＳ５２４では、印刷制御装置１００は、ワークフロー処理装置２００に対して、本プリント完了を通知する。
ステップＳ５２６では、ワークフロー処理装置２００は、本プリントの完了を登録する。
【００４１】
図１０は、第１の実施の形態による別の処理例を示すフローチャートである。
ステップＳ１００２では、ワークフロー処理装置２００は、操作者の操作にしたがって本プリントにおける部数を設定する。
ステップＳ１００４では、ワークフロー処理装置２００は、印刷制御装置１００に対してジョブを送信する。なお、このジョブには、サンプルプリントの指示を含ませる。
ステップＳ１００６では、印刷制御装置１００は、ワークフロー処理装置２００からジョブを受信する。
ステップＳ１００８では、印刷制御装置１００は、ジョブ内にサンプルプリントの指示があるので、サンプルプリントを実行する。部数設定は無視して１部のみプリントする。
ステップＳ１０１０では、印刷制御装置１００のオペレータはプリント結果を目視で確認する。
ステップＳ１０１２では、印刷制御装置１００は、サンプルプリント結果がＯＫとなるまで設定を変えて、ステップＳ１００８からの処理を繰り返し、プリントする。設定として、例えば、拡大縮小率の変更等がある。
【００４２】
ステップＳ１０１４では、印刷制御装置１００は、サンプルプリント結果に問題がなければ、プリンター側承認者の名を入力し、サンプルプリント完了ボタンを押下する。例えば、図７に示すサンプルプリント確認画面６００又は図８に示すサンプルプリント確認画面６００を提示する。
ステップＳ１０１６では、印刷制御装置１００は、ワークフロー処理装置２００に対して、サンプルプリント完了と変更したオプションを通知する。例えば、オプションとしてオプションテーブル９００を送信する。
ステップＳ１０１８では、ワークフロー処理装置２００は、サンプルプリントの完了を登録する。
【００４３】
ステップＳ１０２０では、ワークフロー処理装置２００は、プリンター側で変更したオプションをワークフロー側承認者が確認する。例えば、オプション変更確認画面１１００を提示する。図１１は、オプション変更確認画面１１００の表示例を示す説明図である。オプション変更確認画面１１００には、オプション変更結果表示領域１１１０、承認者所属欄１１３０、承認者氏名欄１１４０、承認ボタン１１５０、キャンセルボタン１１６０を表示する。そして、オプション変更確認画面１１００内に、例えば、「プリンターでサンプルプリントが完了しました。変更されたプリントオプションを確認してください。本番プリントを実行する場合は承認ボタンを押してください。承認ボタンを押すと本プリントを開始します。」を表示する。オプション変更結果表示領域１１１０には、オプションテーブル１１２０を表示する。オプションテーブル１１２０は、設定項目欄１１２２、内容欄１１２４、変更欄１１２６、コスト変動欄１１２８を有している。設定項目欄１１２２は、設定項目を表示している。内容欄１１２４は、内容を表示している。変更欄１１２６は、変更の有無を表示している。コスト変動欄１１２８は、コスト変動の有無を表示している。ここでいうコストとは、例えば用紙の単価やトナーなどの画像形成材料の消費量などから算出される本番プリント（サンプルプリントを含めてもよい）に係る原材料費のようなものをいう。設定項目欄１１２２、内容欄１１２４は、オプションテーブル９００の設定項目欄９１０、内容欄９２０に該当する。変更欄１１２６は、サンプルプリントによって変更された項目にマークを表示する。コスト変動欄１１２８は、マークのある項目に変動があった場合にコストが変動することを示している。サンプルプリントによって変更された場合、コスト管理上、重要なチェック項目となるからである。承認者所属欄１１３０には、ワークフロー側承認者の所属組織を記載し、承認者氏名欄１１４０には、ワークフロー側承認者の氏名を記載する。ワークフロー処理装置２００は、これらの情報を管理（登録）する。承認ボタン１１５０が押下されると、ステップＳ１０２２に進む。
さらに、ステップＳ１００４の時点から、印刷におけるコストの変動が生じたか否かを示すようにしてもよい。そのために、ステップＳ１００４におけるコストを算出して記録しておき、ステップＳ１０１８で受信したオプションで再度コストを算出し、両者を比較してコストが変動したか否かを判断すればよい。なお、コスト算出式は予め定められており、そのコスト算出式の変数に、オプションテーブル９００内の値を適用すればよい。
【００４４】
ステップＳ１０２２では、ワークフロー処理装置２００は、印刷制御装置１００に対して、本プリント開始を指示する。
ステップＳ１０２４では、印刷制御装置１００は、本プリントを開始する。
ステップＳ１０２６では、印刷制御装置１００は、本プリントを完了する。
ステップＳ１０２８では、印刷制御装置１００は、ワークフロー処理装置２００に対して、本プリント完了を通知する。
ステップＳ１０３０では、ワークフロー処理装置２００は、本プリントの完了を登録する。
【００４５】
＜＜第２の実施の形態＞＞
図１２は、第２の実施の形態の構成例についての概念的なモジュール構成図である。
印刷制御装置１２００は、図１２の例に示すように、受付モジュール１１０、サンプル印刷指示モジュール１２０、オプション変更モジュール１３０、通知モジュール１４０、本番印刷指示モジュール１５０、印刷管理情報特定モジュール１２６０、印刷管理情報管理モジュール１２７０、印刷ジョブ保存モジュール１２８０を有している。なお、第１の実施の形態と同種の部位には同一符号を付し重複した説明を省略する。
印刷管理情報特定モジュール１２６０は、試し刷りに関連する情報と本番印刷に関連する情報とを対応付ける。そのために、例えば、印刷ジョブを本実施の形態で一意に識別するための識別情報を用いてもよい。試し刷りに関連する情報として、少なくとも印刷枚数を含む。本番印刷に関連する情報として、少なくとも印刷枚数を含む。
印刷管理情報管理モジュール１２７０は、印刷管理情報特定モジュール１２６０によって対応付けられた試し刷りに関連する情報と本番印刷に関連する情報とを統合する。
印刷ジョブ保存モジュール１２８０は、試し刷りに関連する情報と本番印刷に関連する情報を記憶する。また、両者の統合された情報を記憶してもよい。
通知モジュール１４０は、印刷管理情報管理モジュール１２７０によって統合された試し刷りに関連する情報と本番印刷に関連する情報を、ワークフロー処理装置２００に対して通知する。統合された試し刷りに関連する情報と本番印刷に関連する情報は、印刷ジョブ保存モジュール１２８０内に記憶されていてもよい。
【００４６】
図１３は、第２の実施の形態による処理例を示すフローチャートである。
ステップＳ１３０２では、ワークフロー処理装置２００は、操作者の操作にしたがって本プリントにおける部数を設定する。
ステップＳ１３０４では、ワークフロー処理装置２００は、印刷制御装置１２００に対してジョブを送信する。なお、このジョブには、サンプルプリントの指示を含ませる。
ステップＳ１３０６では、印刷制御装置１２００は、ワークフロー処理装置２００からジョブを受信する。
ステップＳ１３０８では、印刷制御装置１２００は、ジョブ内にサンプルプリントの指示があるので、サンプルプリントを実行する。部数設定は無視して１部のみプリントする。
【００４７】
ステップＳ１３１０では、印刷制御装置１２００は、サンプルプリントの印刷情報を保存する。例えば、印刷情報テーブル１４００を生成し、印刷ジョブ保存モジュール１２８０に記憶する。図１４（ａ）は、印刷情報テーブル１４００のデータ構造例を示す説明図である。印刷情報テーブル１４００は、ジョブＩＤ欄１４０２、印刷装置の種類欄１４０４、用紙のサイズ欄１４０６、サンプルプリント欄１４０８、ヤレ欄１４１０、本プリント欄１４１２、合計欄１４１４を有している。ジョブＩＤ欄１４０２は、本実施の形態において、ジョブを一意に識別するための情報（ジョブＩＤ：ＩＤｅｎｔｉｆｉｃａｔｉｏｎ）を記憶している。印刷装置の種類欄１４０４は、印刷装置の種類を記憶している。用紙のサイズ欄１４０６は、用紙のサイズを記憶している。サンプルプリント欄１４０８は、サンプルプリントにおける印刷枚数を記憶している。ヤレ欄１４１０は、ヤレ（印刷物を作る過程で、無駄になってしまった用紙）の印刷枚数を記憶している。本プリント欄１４１２は、本プリントにおける印刷枚数を記憶している。合計欄１４１４は、印刷枚数の合計（具体的には、サンプルプリント欄１４０８、ヤレ欄１４１０、本プリント欄１４１２の欄の値の合計）を記憶している。サンプルプリントが繰り返される都度に、印刷情報テーブル１４００を生成する。
【００４８】
ステップＳ１３１２では、印刷制御装置１２００のオペレータはプリント結果を目視で確認する。
ステップＳ１３１４では、印刷制御装置１２００は、サンプルプリント結果がＯＫとなるまで設定を変えて、ステップＳ１３０８からの処理を繰り返し、プリントする。設定として、例えば、拡大縮小率の変更等がある。
【００４９】
ステップＳ１３１６では、印刷制御装置１２００は、サンプルプリント結果に問題がなければ、サンプルプリント完了ボタンを押下する。
ステップＳ１３１８では、印刷制御装置１２００は、サンプルプリントの印刷情報を集計する。ステップＳ１３１０で生成された印刷情報テーブル１４００におけるサンプルプリント欄１４０８、ヤレ欄１４１０の値を加算すればよい。
【００５０】
ステップＳ１３２０では、印刷制御装置１２００は、ワークフロー処理装置２００に対して、サンプルプリント完了と変更したオプションを通知する。
ステップＳ１３２２では、ワークフロー処理装置２００は、サンプルプリントの完了を登録する。
ステップＳ１３２４では、印刷制御装置１２００は、本プリントを開始する。
ステップＳ１３２６では、印刷制御装置１２００は、本プリントを完了する。
ステップＳ１３２８では、印刷制御装置１２００は、本プリントの印刷情報を保存する。例えば、印刷情報テーブル１４２０を生成し、印刷ジョブ保存モジュール１２８０に記憶する。図１４（ｂ）は、印刷情報テーブル１４２０のデータ構造例を示す説明図である。印刷情報テーブル１４２０は、印刷情報テーブル１４００と同等のデータ構造である。
【００５１】
ステップＳ１３３０では、印刷制御装置１２００は、サンプルプリントの印刷情報と本プリントの印刷情報を統合する。例えば、印刷情報テーブル１４４０を生成し、印刷ジョブ保存モジュール１２８０に記憶する。図１４（ｃ）は、印刷情報テーブル１４４０のデータ構造例を示す説明図である。印刷情報テーブル１４４０は、印刷情報テーブル１４００と同等のデータ構造である。印刷情報テーブル１４４０は、印刷情報テーブル１４００と印刷情報テーブル１４２０を統合したものである。具体的には、１行目に印刷情報テーブル１４００、２行目に印刷情報テーブル１４２０を組み合わせたものである。なお、ジョブＩＤが同じものを統合する。
【００５２】
ステップＳ１３３２では、印刷制御装置１２００は、ワークフロー処理装置２００に対して、本プリント完了を通知する。この通知内に、印刷情報テーブル１４４０を含ませる。
ステップＳ１３３４では、ワークフロー処理装置２００は、本プリントの完了を登録する。ワークフロー処理装置２００は、印刷情報テーブル１４４０も受信し、サンプルプリント、本プリントにおける印刷枚数を管理することができる。この後、サンプルプリント、本プリントにおける印刷枚数をＭＩＳに渡すようにしてもよい。
【００５３】
図１３の例に示すフローチャートは、図４の例に示すフローチャートに、第２の実施の形態を適用したものであるが、図５又は図１０の例に示すフローチャートに適用してもよい。具体的には、図５の例に示すフローチャートでは、ステップＳ５０８とステップＳ５１０の間にステップＳ１３１０を挿入し、ステップＳ５１４とステップＳ５１６の間にステップＳ１３１８を挿入し、ステップＳ５２２とステップＳ５２４の間にステップＳ１３２８とステップＳ１３３０を挿入すればよい。図１０の例に示すフローチャートでは、ステップＳ１００８とステップＳ１０１０の間にステップＳ１３１０を挿入し、ステップＳ１０１４とステップＳ１０１６の間にステップＳ１３１８を挿入し、ステップＳ１０２６とステップＳ１０２８の間にステップＳ１３２８とステップＳ１３３０を挿入すればよい。
また、ワークフロー処理装置２００側に、印刷管理情報特定モジュール１２６０、印刷管理情報管理モジュール１２７０、印刷ジョブ保存モジュール１２８０を備えてもよい。この場合、プリントが完了する都度に、印刷制御装置１２００がワークフロー処理装置２００に印刷情報を通知し、その印刷情報を用いて、図１４の例に示す印刷情報テーブル１４００を生成すればよい。
【００５４】
図１５を参照して、本実施の形態の印刷制御装置のハードウェア構成例について説明する。図１５に示す構成は、例えばパーソナルコンピュータ（ＰＣ）等によって構成されるものであり、スキャナ等のデータ読み取り部１５１７と、プリンター等のデータ出力部１５１８を備えたハードウェア構成例を示している。
【００５５】
ＣＰＵ（Ｃｅｎｔｒａｌ  Ｐｒｏｃｅｓｓｉｎｇ  Ｕｎｉｔ）１５０１は、前述の実施の形態において説明した各種のモジュール、すなわち、受付モジュール１１０、サンプル印刷指示モジュール１２０、オプション変更モジュール１３０、通知モジュール１４０、本番印刷指示モジュール１５０、印刷管理情報特定モジュール１２６０、印刷管理情報管理モジュール１２７０等の各モジュールの実行シーケンスを記述したコンピュータ・プログラムにしたがった処理を実行する制御部である。
【００５６】
ＲＯＭ（Ｒｅａｄ  Ｏｎｌｙ  Ｍｅｍｏｒｙ）１５０２は、ＣＰＵ１５０１が使用するプログラムや演算パラメータ等を格納する。ＲＡＭ（Ｒａｎｄｏｍ  Ａｃｃｅｓｓ  Ｍｅｍｏｒｙ）１５０３は、ＣＰＵ１５０１の実行において使用するプログラムや、その実行において適宜変化するパラメータ等を格納する。これらはＣＰＵバス等から構成されるホストバス１５０４により相互に接続されている。
【００５７】
ホストバス１５０４は、ブリッジ１５０５を介して、ＰＣＩ（Ｐｅｒｉｐｈｅｒａｌ  Ｃｏｍｐｏｎｅｎｔ  Ｉｎｔｅｒｃｏｎｎｅｃｔ／Ｉｎｔｅｒｆａｃｅ）バス等の外部バス１５０６に接続されている。
【００５８】
キーボード１５０８、マウス等のポインティングデバイス１５０９は、操作者により操作されるデバイスである。ディスプレイ１５１０は、液晶表示装置又はＣＲＴ（Ｃａｔｈｏｄｅ  Ｒａｙ  Ｔｕｂｅ）等があり、各種情報をテキストやイメージ情報として表示する。また、ポインティングデバイス１５０９とディスプレイ１５１０の両方の機能を備えているタッチスクリーン等であってもよい。
【００５９】
ＨＤＤ（Ｈａｒｄ  Ｄｉｓｋ  Ｄｒｉｖｅ）１５１１は、ハードディスク（フラッシュ・メモリ等であってもよい）を内蔵し、ハードディスクを駆動し、ＣＰＵ１５０１によって実行するプログラムや情報を記録又は再生させる。ハードディスクは、印刷ジョブ保存モジュール１２８０等としての機能を実現させる。さらに、その他の各種データ（オプションテーブル９００等）、各種コンピュータ・プログラム等が格納される。
【００６０】
ドライブ１５１２は、装着されている磁気ディスク、光ディスク、光磁気ディスク、又は半導体メモリ等のリムーバブル記録媒体１５１３に記録されているデータ又はプログラムを読み出して、そのデータ又はプログラムを、インタフェース１５０７、外部バス１５０６、ブリッジ１５０５、及びホストバス１５０４を介して接続されているＲＡＭ１５０３に供給する。なお、リムーバブル記録媒体１５１３も、データ記録領域として利用可能である。
【００６１】
接続ポート１５１４は、外部接続機器１５１５を接続するポートであり、ＵＳＢ、ＩＥＥＥ１３９４等の接続部を持つ。接続ポート１５１４は、インタフェース１５０７、及び外部バス１５０６、ブリッジ１５０５、ホストバス１５０４等を介してＣＰＵ１５０１等に接続されている。通信部１５１６は、通信回線に接続され、外部とのデータ通信処理を実行する。データ読み取り部１５１７は、例えばスキャナであり、ドキュメントの読み取り処理を実行する。データ出力部１５１８は、例えばプリンターであり、ドキュメントデータの出力処理を実行する。
【００６２】
なお、図１５に示す印刷制御装置のハードウェア構成は、１つの構成例を示すものであり、本実施の形態は、図１５に示す構成に限らず、本実施の形態において説明したモジュールを実行可能な構成であればよい。例えば、一部のモジュールを専用のハードウェア（例えば特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔ：ＡＳＩＣ）等）で構成してもよく、一部のモジュールは外部のシステム内にあり通信回線で接続している形態でもよく、さらに図１５に示すシステムが複数互いに通信回線によって接続されていて互いに協調動作するようにしてもよい。
【００６３】
なお、説明したプログラムについては、記録媒体に格納して提供してもよく、また、そのプログラムを通信手段によって提供してもよい。その場合、例えば、前記説明したプログラムについて、「プログラムを記録したコンピュータ読み取り可能な記録媒体」の発明として捉えてもよい。
「プログラムを記録したコンピュータ読み取り可能な記録媒体」とは、プログラムのインストール、実行、プログラムの流通等のために用いられる、プログラムが記録されたコンピュータで読み取り可能な記録媒体をいう。
なお、記録媒体としては、例えば、デジタル・バーサタイル・ディスク（ＤＶＤ）であって、ＤＶＤフォーラムで策定された規格である「ＤＶＤ−Ｒ、ＤＶＤ−ＲＷ、ＤＶＤ−ＲＡＭ等」、ＤＶＤ＋ＲＷで策定された規格である「ＤＶＤ＋Ｒ、ＤＶＤ＋ＲＷ等」、コンパクトディスク（ＣＤ）であって、読出し専用メモリ（ＣＤ−ＲＯＭ）、ＣＤレコーダブル（ＣＤ−Ｒ）、ＣＤリライタブル（ＣＤ−ＲＷ）等、ブルーレイ・ディスク（Ｂｌｕ−ｒａｙ（登録商標）  Ｄｉｓｃ）、光磁気ディスク（ＭＯ）、フレキシブルディスク（ＦＤ）、磁気テープ、ハードディスク、読出し専用メモリ（ＲＯＭ）、電気的消去及び書換可能な読出し専用メモリ（ＥＥＰＲＯＭ（登録商標））、フラッシュ・メモリ、ランダム・アクセス・メモリ（ＲＡＭ）、ＳＤ（Ｓｅｃｕｒｅ  Ｄｉｇｉｔａｌ）メモリーカード等が含まれる。
そして、前記のプログラムの全体又はその一部は、前記記録媒体に記録して保存や流通等させてもよい。また、通信によって、例えば、ローカル・エリア・ネットワーク（ＬＡＮ）、メトロポリタン・エリア・ネットワーク（ＭＡＮ）、ワイド・エリア・ネットワーク（ＷＡＮ）、インターネット、イントラネット、エクストラネット等に用いられる有線ネットワーク、又は無線通信ネットワーク、さらにこれらの組み合わせ等の伝送媒体を用いて伝送させてもよく、また、搬送波に乗せて搬送させてもよい。
さらに、前記のプログラムは、他のプログラムの一部分又は全部であってもよく、又は別個のプログラムと共に記録媒体に記録されていてもよい。また、複数の記録媒体に分割して記録されていてもよい。また、圧縮や暗号化等、復元可能であればどのような態様で記録されていてもよい。
【符号の説明】
【００６４】
１００…印刷制御装置
１１０…受付モジュール
１２０…サンプル印刷指示モジュール
１３０…オプション変更モジュール
１４０…通知モジュール
１５０…本番印刷指示モジュール
２００…ワークフロー処理装置
２１０…ユーザーインタフェースモジュール
２２０…ＪＭＦ送受信モジュール
２２２…印刷ジョブ
２２４…サンプル完了
２２６…本プリント指示
２３０…ＪＭＦ送受信モジュール
２４０…ユーザーインタフェースモジュール
２５０…ジョブ管理モジュール
２６０…ＲＩＰモジュール
２７０…印刷装置制御モジュール
２９０…印刷装置
３９０…通信回線
１２００…印刷制御装置
１２６０…印刷管理情報特定モジュール
１２７０…印刷管理情報管理モジュール
１２８０…印刷ジョブ保存モジュール
【図１】
0006686696.tif 000002
【図２】
0006686696.tif 000003
【図３】
0006686696.tif 000004
【図４】
0006686696.tif 000005
【図５】
0006686696.tif 000006
【図６】
0006686696.tif 000007
【図７】
0006686696.tif 000008
【図８】
0006686696.tif 000009
【図９】
0006686696.tif 000010
【図１０】
0006686696.tif 000011
【図１１】
0006686696.tif 000012
【図１２】
0006686696.tif 000013
【図１３】
0006686696.tif 000014
【図１４】
0006686696.tif 000015
【図１５】
0006686696.tif 000016